(57)【特許請求の範囲】
【請求項１】
上下方向に設置される枠状のフレームと、
該フレームの上部に設置された上部ヘッダーと、
該フレームの下部に設置された下部ヘッダーと、
該上部ヘッダーと下部ヘッダーとの間に架設された複数の放熱管と、
該上部ヘッダーを該フレームに吊支するバネと
を備えてなるパネルラジエータ。
【請求項２】
請求項１において、前記バネは前記フレームに上下方向に設けられた案内部に沿って配置されていることを特徴とするパネルラジエータ。
【請求項３】
請求項２において、前記案内部は溝よりなることを特徴とするパネルラジエータ。
【請求項４】
請求項１ないし３のいずれか１項のパネルラジエータを天井と床との間に立設したパネルラジエータの設置構造であって、床下を引き回された温水配管がフレーム下方の床面の開口を通って前記下部ヘッダーに接続されていることを特徴とするパネルラジエータの設置構造。
【発明の詳細な説明】
【技術分野】
【０００１】
本発明は、パネルラジエータ及びその設置構造に係り、特に壁暖房用のパネルラジエータとその設置構造に関する。
【背景技術】
【０００２】
壁暖房用のパネルラジエータとして、上部横パイプと下部横パイプとの間に多数の合成樹脂製縦パイプを架設したものが、特開２００９−２２２２９７号公報に記載されている。同号公報のパネルラジエータでは、横パイプの両端がパネルラジエータ（同号公報では放熱器）の側枠に固定されている。
【先行技術文献】
【特許文献】
【０００３】
【特許文献１】特開２００９−２２２２９７号公報
【発明の概要】
【発明が解決しようとする課題】
【０００４】
上記特開２００９−２２２２９７号公報のパネルラジエータでは、上部及び下部横パイプが固定設置され、縦パイプの上下両端が該上部及び下部横パイプに連結されているため、縦パイプが温水通水時に熱膨張によって伸長したときの応力の逃げ場がなく、横パイプや縦パイプ等に大きな応力が生じる。
【０００５】
本発明は、上下方向に延設された放熱管の熱膨張を吸収することができるパネルラジエータと、その設置構造を提供することを目的とする。
【課題を解決するための手段】
【０００６】
本発明（請求項１）のパネルラジエータは、上下方向に設置される枠状のフレームと、該フレームの上部に設置された上部ヘッダーと、該フレームの下部に設置された下部ヘッダーと、該上部ヘッダーと下部ヘッダーとの間に架設された複数の放熱管と、該上部ヘッダーを該フレームに吊支するバネとを備えてなるものである。
【０００７】
請求項２のパネルラジエータは、請求項１において、前記バネは前記フレームに上下方向に設けられた案内部に沿って配置されていることを特徴とするものである。
【０００８】
請求項３のパネルラジエータは、請求項２において、前記案内部は溝よりなることを特徴とするものである。
【０００９】
本発明（請求項４）のパネルラジエータの設置構造は、請求項１ないし３のいずれか１項のパネルラジエータを天井と床との間に立設したパネルラジエータの設置構造であって、床下を引き回された温水配管がフレーム下方の床面の開口を通って前記下部ヘッダーに接続されていることを特徴とするものである。
【発明の効果】
【００１０】
本発明のパネルラジエータでは、上部ヘッダーがフレームに対しバネによって吊支されているので、放熱管が熱膨張によって伸縮した場合、バネが伸縮して上部ヘッダーが上下動することにより、放熱管の熱膨張が吸収される。本発明では、上部ヘッダーをバネによって上方に引っ張るため、放熱管に加えられる張力が小さく、放熱管に疲労が生じることもない。
【００１１】
フレームに溝などの案内部を設け、バネを該案内部に沿わせることにより、上部ヘッダーの横揺れが防止される。
【００１２】
本発明のパネルラジエータの設置構造にあっては、放熱管の熱膨張がバネによって吸収されるので、下部ヘッダーに接続された温水循環配管や、該温水循環配管と下部ヘッダーとの接続部に加えられる放熱管熱膨張による応力が軽減又は解消されるようになる。
【図面の簡単な説明】
【００１３】
【図１】カバーを装着した状態のパネルラジエータ及びその設置構造を示す斜視図である。
【図２】カバーを取り外した状態におけるパネルラジエータ及びその設置構造を示す斜視図である。
【図３】温水通水停止時におけるカバーを取り外した状態のパネルラジエータの構成を示す、下方から見上げた状態の斜視図である。
【図４】温水通水時におけるパネルラジエータの構成を示す、下方から見上げた状態の斜視図である。
【図５】（ａ）図は図１のＶ−Ｖ線に沿う断面図、（ｂ）図はスルーパネルの断面図である。
【図６】（ａ）図は図３のVI−VI線断面図、（ｂ）図は（ａ）図のＢ部分の拡大図である。
【発明を実施するための形態】
【００１４】
以下、第１図〜第６図を参照して実施の形態について説明する。
【００１５】
第１図の通り、床１と天井２との間にパネルラジエータ３が立設されている。このパネルラジエータ３は、第２図〜第４図に示される通り、長方形枠状のフレーム４と、該フレーム４の上部に設置された上部ヘッダー５と、フレーム４の下部に設置された下部ヘッダー６と、該上部ヘッダー５と下部ヘッダー６との間に架設された放熱管７と、フレーム４の上部及び下部から突設されたアジャスタ８と、上部ヘッダー５をフレーム４の上部アングル４ｂに吊支しているバネ（この実施の形態ではコイルバネ）１０と、放熱管７が挿通されたスルーパネル２０等を備えている。
【００１６】
フレーム４は、好ましくはアルミ等の軽金属よりなるものであり、１対の縦アングル４ａ，４ａと、該縦アングル４ａ，４ａの上端同士の間に架設された上部アングル４ｂと、縦アングル４ａ，４ａの下端同士の間に架設された下部ヘッダー６とにより、長方形の縦長枠状とされている。なお、下部ヘッダー６の長手方向の両端から突片が突設され、この突片が縦アングル４ａ，４ａの下端にボルト（図示略）によって固定されている。図示は省略するが、縦アングル４ａ，４ａの上端及び下端にナットが固着されている。前記アジャスタ８は、該ナットに螺合している。アジャスタ８は、長尺のボルトよりなるものであり、回転させることにより、フレーム４からの突出長さが調整される。
【００１７】
放熱管７は、この実施の形態ではポリブテン、架橋ポリエチレン等の合成樹脂チューブよりなり、スルーパネル２０に挿通され、上部ヘッダー５及び下部ヘッダー６に接続されている。
【００１８】
上部ヘッダー５は、上部アングル４ｂよりも所定距離下方に位置しており、上部ヘッダー５と上部アングル４ｂとの間には、所定の間隙があいている。この上部アングル４ｂに対し上部ヘッダー５がバネ１０によって吊り支えられており、温水を放熱管７に通水して放熱管７が熱膨張により伸長したときの伸びを吸収するように構成されている。第６図の通り、フレーム４の縦アングル４ａの上端部の内側の側面（１対の縦アングル４ａ，４ａの対向面）には、バネ１０を案内するための案内部として、半円形水平断面形状の溝４ｈが設けられている。バネ１０は、その直径方向の半分がこの溝４ｈ内に配置され、該溝４ｈに沿って上下方向に伸縮可能とされている。半円形の溝４ｈの直径はバネ１０の直径と略同一となっている。
【００１９】
下部ヘッダー６には、床１の開口１１を通過した温水循環配管１２，１３の一端が接続されている。この配管１２，１３はポリブテン、架橋ポリエチレン等の合成樹脂よりなり、その他端はボイラや分岐ヘッダー（図示略）に接続されている。
【００２０】
スルーパネル２０は、ポリカーボネート等の半透明な合成樹脂よりなる。このスルーパネル２０は、第５図（ｂ）の通り、平行な１対の主板面２１，２１と、該主板面２１，２１同士を接続するリブ部２２とを有したハーモニカ形断面形状となっており、隣接するリブ部２２同士の間が放熱管７の挿通孔２３となっている。リブ部２２は主板面２１と垂直である。
【００２１】
パネルラジエータ３を組み立てるには、縦アングル４ａ，４ａを平行に並べ、それらの下端同士を下部ヘッダー６によって連結し、縦アングル４ａ，４ａ間にスルーパネル２０を配置する。このスルーパネル２０の左右の両側縁は、縦アングル４ａ，４ａの内向き面（対向面）に設けられた溝（図示略）に係合することにより、フレーム４に保持されているが、ビス留め等によって保持されてもよい。挿通孔２３は、縦アングル４ａと平行方向に延在する。
【００２２】
前記上部ヘッダー５には、下面側にタケノコ形のノズル状の接続部（図示略）が突設されている。放熱管７の上端をこの接続部に差し込み、バンドを外嵌させて締め付け、抜け止めする。
【００２３】
上部ヘッダー５に放熱管７の上端を接続し、各放熱管７の下端にノズル状のジョイント（図示略）を装着した後、各放熱管７をスルーパネル２０の挿通孔２３に挿通させ、スルーパネル２０の下端から下方に突出させる。そして、各放熱管７の下端を該ジョイントを介して下部ヘッダー６に接続する。
【００２４】
なお、放熱管７をスルーパネル２０の挿通孔２３に挿通する前に、又は挿通させた後、適宜の段階で上部アングル４ｂを縦アングル４ａ，４ａ間に取り付け、上部ヘッダー５と上部アングル４ｂとをバネ１０で連結する。
【００２５】
パネルラジエータ３を床１と天井２との間に間仕切り状に立設するには、ヘッダー５，６、スルーパネル２０、放熱管７、アジャスタ８及びコイルバネ１０を備えたフレーム４を部屋のパネルラジエータ設置予定位置にて起立させる。なお、下側のアジャスタ８と床１との間、及び上側のアジャスタ８と天井２との間には、ゴム、合成樹脂等よりなる固定座９又はパッキンを介在させるのが好ましい。次いで、パネルラジエータ３が鉛直となるように支えた状態で、アジャスタ８を回して突出させ、パネルラジエータ３を床１と天井２との間で突っ張らせて固定する。
【００２６】
次いで、温水循環配管１２，１３を下部ヘッダー６に接続する。その後、フレーム４の上部にカバー１６を取り付け、フレーム４の下部にカバー１７を取り付け、各ヘッダー５，６を隠蔽する。これらのカバー１６，１７は例えばビス留めによりフレーム４に固定される。
【００２７】
このように構成されたパネルラジエータ３にあっては、部屋の所望箇所に間仕切り状のパネルラジエータ３を容易に立設することができる。このパネルラジエータ３にあっては、ヘッダー５，６がカバー１６，１７で隠蔽され、また、放熱管７が半透明のスルーパネル２０で覆われるので、美観に優れる。
【００２８】
このパネルラジエータ３の放熱管７に温水を循環通水することにより、熱がパネルラジエータ３の両面から輻射される。スルーパネル２０が半透明であるので、放熱管７からの遠赤外線が効率よく部屋内に放射される。
【００２９】
温水を通水することにより、第４図のように放熱管７が熱膨張して伸長し、また温水通水を停止すると、第３図のように放熱管７が縮んで短くなるが、この放熱管７の伸縮はバネ１０によって吸収される。この実施の形態では、上部ヘッダー５の両端を吊支するバネ１０がそれぞれ溝４ｈに収容されているので、上部ヘッダー５の揺れ動きが防止される。
【００３０】
この実施の形態では、下部ヘッダー６が固定状態となっているので、下部ヘッダー６と温水循環配管１２，１３との接続部に放熱管７の熱膨張による応力が負荷されず、この接続部の耐久性が良好である。
【００３１】
上記実施の形態は本発明の一例であり、本発明は図示以外の態様とされてもよい。例えば、放熱管７の本数は図示以外でもよい。縦アングル４ａは円筒形でもよい。また、溝４ｈの水平断面形状は半円形でなくてもよく、それよりも浅い円弧形や、Ｖ字形、台形断面形状などであってもよい。
【００３２】
なお、特に本発明を限定するものではないが、前記バネ１０としては、線径１ｍｍのピアノ線を直径（外径）８．６ｍｍに巻回したものであって、４０ｍｍ変形（伸長）時の引張荷重が５ｋｇｆであるものを用いることができる。
【００３３】
本発明のパネルラジエータは壁に沿って立設されてもよい。
【符号の説明】
【００３４】
１  床
２  天井
３  パネルラジエータ
４  フレーム
４ａ  縦アングル
４ｂ  上部アングル
４ｃ  下部アングル
４ｈ  溝（案内部）
５  上部ヘッダー
５ａ  ノズル状接続部
６  下部ヘッダー
７  放熱管
８  アジャスタ
１０  バネ
１２，１３  温水循環配管
２０  スルーパネル
２３  放熱管の挿通孔
【図１】
0005477171.tif 000002
【図２】
0005477171.tif 000003
【図３】
0005477171.tif 000004
【図４】
0005477171.tif 000005
【図５】
0005477171.tif 000006
【図６】
0005477171.tif 000007